(57)【要約】【課題】釣糸を容易且つ迅速に取り出すことができるようにした釣糸保持具を提供する。【解決手段】釣糸（３）における糸部（５）を巻き付けるための円筒状胴部（７）の一側端には該円筒状胴部よりも大径の第一円形側板部（９）を設け、該第一円形側板部の周縁には釣糸における糸部の基端部（５ａ）を係止するための複数の糸部用切込み（１１）を形成し、該円筒状胴部の他側端には該円筒状胴部よりも大径の釣針係止用円形板部（１３）を設け、該釣針係止用円形板部の周縁には釣糸における釣針（１０）を係止するための複数の釣針用切込み（１７）を形成し、該釣針係止用円形板部における前記円筒状胴部と反対側にはスペーサ（１９）を介して該釣針係止用円形板部よりも大径の第二円形側板部（２１）を設けた釣糸保持体よりなることを特徴とする釣糸保持具。【選択図】　図１
2004113122.tif 000002
【特許請求の範囲】
【請求項１】
釣糸における糸部を巻き付けるための円筒状胴部の一側端には該円筒状胴部よりも大径の第一円形側板部を設け、該第一円形側板部の周縁には釣糸における糸部の基端部を係止するための複数の糸部用切込みを形成し、該円筒状胴部の他側端には該円筒状胴部よりも大径の釣針係止用円形板部を設け、該釣針係止用円形板部の周縁には釣糸における釣針を係止するための複数の釣針用切込みを形成し、該釣針係止用円形板部における前記円筒状胴部と反対側にはスペーサを介して該釣針係止用円形板部よりも大径の第二円形側板部を設けた釣糸保持体よりなることを特徴とする釣糸保持具。
【請求項２】
釣糸における糸部を巻き付けるための円筒状胴部の一側端には該円筒状胴部よりも大径の第一円形側板部を設け、該第一円形側板部の周縁には釣糸における糸部の基端部を係止するための複数の糸部用切込みを形成し、該円筒状胴部の他側端には該円筒状胴部よりも大径の釣針係止用円形板部を設け、該釣針係止用円形板部の周縁には釣糸における釣針を係止するための複数の釣針用切込みを形成し、該釣針係止用円形板部における前記円筒状胴部と反対側にはスペーサを介して該釣針係止用円形板部よりも大径の第二円形側板部を設けてなる釣糸保持体を
蓋付のケース内に回転自在に収納し、該ケースには釣糸取出し用開口部を備えさせると共に該ケースの外側には釣糸における糸部の基端部を係止するための糸部用係止部を備えさせたことを特徴とする釣糸保持具。
【請求項３】
前記ケースの内側における釣糸取出し用開口部の近傍には釣糸の繰り出し時に釣針が該ケースの内側に引っ掛ることを防止するための第一引っ掛り防止手段を備えさせ、該ケースの蓋の内側には釣糸の繰り出し時に釣針が該蓋の内側に引っ掛ることを防止するための第二引っ掛り防止手段を備えさせたことを特徴とする請求項２の釣糸保持具。
【請求項４】
複数個の前記釣糸保持体を、各釣糸保持体における円筒状胴部に対する釣糸の巻付け方向が隣接する他の釣糸保持体における円筒状胴部に対する釣糸の巻付け方向と逆になるように、上下に積み重ねた状態で前記ケース内に回転自在に収納したことを特徴とする請求項２又は３の釣糸保持具。
【発明の詳細な説明】
【０００１】
【発明の属する技術分野】
本発明は釣針を備えた釣糸を繰り出し自在に保持する釣糸保持具に関するものである。
【０００２】
本発明による釣糸保持具は、特に複数本の釣針を備えた釣糸に好ましく用いられるものであるが、一本の釣針のみを備えた釣糸についても支障なく使用される。
【０００３】
【従来の技術】
本出願人は釣糸保持具に関する先行技術文献情報を有するものではないが、釣糸保持具としては下記の如きものが既に使用されている。
【０００４】
従来の釣糸保持具としては一般に長方形状の厚紙が用いられている。即ち、該厚紙に釣糸を巻き付けると共に該釣糸の各釣針を該厚紙に突き刺して固定するのである。
【０００５】
【発明が解決しようとする課題】
しかるに、上記従来の釣糸保持具においては、釣糸を該釣糸保持具から取り外す際には、釣糸の釣針を該釣糸保持具たる厚紙から一本ずつ手で抜き取りつつ、該釣糸を該釣糸保持具から取り出さなければならないのであるが、この作業は極めて面倒である。
【０００６】
本発明は上記従来の釣糸保持具におけるこのような問題を解決し、釣糸を容易且つ迅速に取り出すことができるようにした釣糸保持具を提供しようとしてなされたものである。
【０００７】
【課題を解決するための手段】
上記課題を解決するために、本発明は下記の釣糸保持具を提供する。
【０００８】
（１）釣糸における糸部を巻き付けるための円筒状胴部の一側端には該円筒状胴部よりも大径の第一円形側板部を設け、該第一円形側板部の周縁には釣糸における糸部の基端部を係止するための複数の糸部用切込みを形成し、該円筒状胴部の他側端には該円筒状胴部よりも大径の釣針係止用円形板部を設け、該釣針係止用円形板部の周縁には釣糸における釣針を係止するための複数の釣針用切込みを形成し、該釣針係止用円形板部における前記円筒状胴部と反対側にはスペーサを介して該釣針係止用円形板部よりも大径の第二円形側板部を設けた釣糸保持体よりなることを特徴とする釣糸保持具（請求項１）。
【０００９】
（２）前記釣糸保持体を蓋付のケース内に回転自在に収納し、該ケースには釣糸取出し用開口部を備えさせると共に該ケースの外側には釣糸における糸部の基端部を係止するための糸部用係止部を備えさせる（請求項２）。
【００１０】
（３）前記ケースの内側における釣糸取出し用開口部の近傍には釣糸の繰り出し時に釣針が該ケースの内側に引っ掛ることを防止するための第一引っ掛り防止手段を備えさせ、該ケースの蓋の内側には釣糸の繰り出し時に釣針が該蓋の内側に引っ掛ることを防止するための第二引っ掛り防止手段を備えさせる（請求項３）。
【００１１】
（４）複数個の前記釣糸保持体を、各釣糸保持体における円筒状胴部に対する釣糸の巻付け方向が隣接する他の釣糸保持体における円筒状胴部に対する釣糸の巻付け方向と逆になるように、上下に積み重ねた状態で前記ケース内に回転自在に収納する（請求項４）。
【００１２】
【作用】
［請求項１の釣糸保持具］
請求項１の釣糸保持具に釣糸を保持させる際には、釣糸における糸部の基端部を第一円形側板部の周縁に形成された糸部用切込みに係止し、釣糸における糸部を円筒状胴部に巻き付け、釣糸における釣針を釣針係止用円形板部の周縁に形成された釣針用切込みに係止する。
【００１３】
釣針係止用円形板部における該円筒状胴部と反対側に設けられた第二円形側板部は、釣針用切込みに係止された釣針を覆うことにより、釣糸保持体が後述の如く回転する際に釣糸保持具の使用者の安全を確保すると共に釣針が物に突き刺さることを防止する。釣針係止用円形板部と第二円形側板部との間にスペーサが配設されているため、釣針係止用円形板部と第二円形側板部との間に釣針の先端部が入るスペースが確保される。
【００１４】
釣糸保持具に保持された釣糸を使用する際には、第一円形側板部の糸部用切込みから釣糸における糸部の基端部を外し、釣糸保持体を回転自在にした状態で糸部の基端部を手に持って釣糸を釣糸保持体から引き出すのである。しかるときは、釣糸保持体は回転しつつ釣糸を繰り出す。このとき、釣針係止用円形板部の周縁に形成された釣針用切込みに係止された釣針は釣糸保持体の回転に伴って次々と該釣針用切込みから外れる。なお、釣糸保持体を回転自在に保持するために、該釣糸保持体に中心孔を設け、該中心孔に適宜の軸を挿入してもよい。
【００１５】
［請求項２の釣糸保持具］
請求項２の釣糸保持具に釣糸を保持させる際には、釣糸を前述の如く釣糸保持体に保持させた状態で該釣糸保持体を蓋付のケース内に回転自在に収納し、釣糸における糸部の基端部をケースの釣糸取出し用開口部から突出させ、該ケース外側の糸部用係止部に係止させる。
【００１６】
釣糸保持具に保持された釣糸を使用する際には、釣糸における糸部の基端部をケース外側の糸部用係止部から外し、釣糸をケースから引き出すのである。しかるときは、釣糸保持体はケース内で回転しつつ前記と同様に釣糸を繰り出す。
【００１７】
［請求項３の釣糸保持具］
釣糸をケースから引き出す際に、回転する釣糸保持体の釣針用切込みから外れた釣針はケースの内側ないし蓋の内側に引っ掛るおそれがあるが、ケースの内側に備えさせた第一引っ掛り防止手段と蓋の内側に備えさせた第二引っ掛り防止手段は釣針がケースの内側ないし蓋の内側に引っ掛ることを防止する。
【００１８】
［請求項４の釣糸保持具］
それぞれ上述の如く釣糸を保持させた複数個の釣糸保持体を上下に積み重ねた状態でケース内に回転自在に収納する。釣糸を使用する際には、一個の釣糸保持体に保持された一本の釣糸を上述の如くケースから引き出すのであるが、当該一個の釣糸保持体がケース内で回転すると、該釣糸保持体に接触する上側又は下側の釣糸保持体も該釣糸保持体と同じ方向に回転するおそれがある。各釣糸保持体における円筒状胴部に対する釣糸の巻付け方向が同一の場合には、該釣糸保持体に接触する上側又は下側の釣糸保持体が該釣糸保持体と同じ方向に回転したときには、当該上側又は下側の釣糸保持体における円筒状胴部に巻き付けられている釣糸がケース内で緩むことになる。しかして、各釣糸保持体における円筒状胴部に対する釣糸の巻付け方向が隣接する他の釣糸保持体における円筒状胴部に対する釣糸の巻付け方向と逆になるように釣糸保持体を上下に積み重ねることにより、当該一個の糸保持体に接触する上側又は下側の釣糸保持体が該釣糸保持体と同じ方向に回転したときでも、当該上側又は下側の釣糸保持体は釣糸を締め付ける方向に回転することになるため、当該上側又は下側の釣糸保持体における円筒状胴部に巻き付けられている釣糸がケース内で緩むことはない。
【００１９】
【発明の実施の形態】
次に、本発明の実施の形態を添付図面に従って説明する。
【００２０】
まず、符号１に示す釣糸保持体について説明する。図１〜図３参照。
【００２１】
釣糸３における糸部５を巻き付けるための円筒状胴部７の一側端には該円筒状胴部７よりも大径の第一円形側板部９を設ける。図示の事例においては、円筒状胴部７に釣糸３における釣針１０に対応する釣針受け部７ａを該円筒状胴部７よりも若干大径に備えさせている。
【００２２】
なお、釣糸３における糸部５には幹糸（モトス）５‘とハリス５“とが含まれる。図８参照。
【００２３】
第一円形側板部９の周縁には釣糸３における糸部５の基端部５ａを係止するための複数の糸部用切込み１１、１１・・・を形成する。
【００２４】
円筒状胴部７の他側端には該円筒状胴部７よりも大径の釣針係止用円形板部１３を設ける。釣針係止用円形板部１３の周縁には釣糸３における釣針１０を係止するための複数の釣針用切込み１７、１７・・・を形成する。
【００２５】
釣針係止用円形板部１３における前記円筒状胴部７と反対側にはスペーサ１９を介して該釣針係止用円形板部１３よりも大径の第二円形側板部２１を設ける。釣針係止用円形板部１３と第二円形側板部２１との間にスペーサ１９を配設することにより、釣針係止用円形板部１３と第二円形側板部２１との間に釣針１０の先端部１０ａが入るスペース２３が確保される（図１参照）。
【００２６】
釣糸保持体１を回転自在に保持するために、該釣糸保持体１に中心孔２５を設け、該中心孔２５に適宜の軸（図示せず。）を挿入するようにしてもよい。
【００２７】
なお、釣糸保持体１における円筒状胴部７と第一円形側板部９と釣針係止用円形板部１３と第二円形側板部２１とスペーサ１９とは、それぞれ合成樹脂、紙等により各別に形成し、これらのものを相互に固定してもよいが、釣糸保持体１を合成樹脂により一体的に形成しても差し支えない。即ち、釣糸保持体１を合成樹脂により一体的に形成する場合も、本願発明の技術的範囲に属するものとする。
【００２８】
次に、釣糸保持体１をケース３１に収納した事例について図４〜図７を参照して説明する。
【００２９】
釣糸保持体１を円筒状のケース３１内に回転自在に収納する。釣糸保持体１は単にケース３１内に収納するのみで回転自在となる。ケース３１には蓋３３を着脱自在に備えさせる。
【００３０】
ケース３１には釣糸取出し用開口部３５を備えさせると共に該ケース３１の外側には釣糸３における糸部５の基端部５ａを係止するための糸部用係止部３７を備えさせる。
【００３１】
図示の事例においては、糸部用係止部３７はケース３１の外側における釣糸取出し用開口部３５の近傍に板状部３９を取り付け、該板状部３９に切込みを形成してなるものである。
【００３２】
ケース３１の内側における釣糸取出し用開口部３５の近傍には釣糸３の繰り出し時に釣針１０が該ケース３１の内側に引っ掛ることを防止するための第一引っ掛り防止手段４１を備えさせる。
【００３３】
第一引っ掛り防止手段４１は、図４、図６に示すように、一例としてケース３１内における釣糸保持体１方向に膨出する断面略円弧状体を釣糸取出し用開口部３５の両側に配設してなるものとする。
【００３４】
ケース３１の蓋３３の内側には釣糸３の繰り出し時に釣針１０が該蓋３３の内側に引っ掛ることを防止するための第二引っ掛り防止手段４３を備えさせる。
【００３５】
第二引っ掛り防止手段４３は、図５〜図７に示すように、一例として蓋３３における天板下面３３ａより側部３３ｂの下縁に至る略三角形状片をケース３１の釣糸取出し用開口部３５対応させて蓋３３の内側に取り付けてなるものとする。
【００３６】
第二引っ掛り防止手段４３は、図６に示すように、一対の断面略円弧状の第一引っ掛り防止手段４１、４１間に嵌るようになすことが望ましい。
【００３７】
図７に示す事例においては、複数個の釣糸保持体１を、各釣糸保持体１における円筒状胴部７に対する釣糸３の巻付け方向が隣接する他の釣糸保持体１における円筒状胴部７に対する釣糸３の巻付け方向と逆になるように、上下に積み重ねた状態でケース３１内に回転自在に収納している。
【００３８】
【発明の効果】
以上説明したように、本発明によれば、釣糸保持具に保持させた釣糸を容易且つ迅速に取り出すことができる。即ち、釣針を釣糸保持具から手で外す作業は不要であり、釣糸保持具から釣糸を引くだけで釣糸は釣糸保持具から円滑に繰り出される。
【図面の簡単な説明】
【図１】本発明による釣糸保持具の一例を示す側面図である。
【図２】釣針係止用円形板部の一例を示す平面図である。
【図３】第一円形側板部の一例を示す平面図である。
【図４】釣糸保持体をケース内に収納した状態を示す斜視図である。
【図５】蓋の一例を示す斜視図である。
【図６】釣糸保持体をケース内に収納した状態を示す断面図である。
【図７】釣糸保持体をケース内に収納した状態を示す別の断面図である。
【図８】釣糸の一例を示す平面図である。
【符号の説明】
１　釣糸保持体
３　釣糸
５　糸部
５ａ　基端部
７　円筒状胴部
７ａ　釣針受け部
９　第一円形側板部
１０　釣針
１０ａ　先端部
１１　糸部用切込み
１３　釣針係止用円形板部
１７　釣針用切込み
１９　スペーサ
２１　第二円形側板部
２３　スペース
２５　中心孔
３１　ケース
３３　蓋
３５　釣糸取出し用開口部
３７　糸部用係止部
３９　板状部
４１　第一引っ掛り防止手段
４３　第二引っ掛り防止手段
【図１】
2004113122.tif 000003
【図２】
2004113122.tif 000004
【図３】
2004113122.tif 000005
【図４】
2004113122.tif 000006
【図５】
2004113122.tif 000007
【図６】
2004113122.tif 000008
【図７】
2004113122.tif 000009
【図８】
2004113122.tif 000010